(57)【要約】【課題】自分（複合機）の設定を担当する治具（PC）と確実に接続される設定対象装置（複合機）および設定システムを提供する。【解決手段】複合機１０は、その複合機１０自身が保持するＳＳＩＤ２の情報に基づいて、Ｗｉ−ＦｉのアクセスポイントＳＳＩＤ２に接続し、そのアクセスポイントからＤＨＣＰでＩＰアドレスを取得し、取得したＩＰアドレスをＧＡＲＰでＰＣ２０＿２に通知し、ＰＣ２０＿２との間のＴＣＰ接続による無線通信でPC20#2から設定（検査、調整等を含む）の指示を受信して、その指示された設定を実行する。その後、再起動を行ない、次の工程について同様の処理を繰り返す。【選択図】図２
2020028040.tif 000002
【特許請求の範囲】
【請求項１】
設定対象装置自身が保持する接続先情報に基づいて、無線通信のアクセスポイントに接続する接続手段と、
前記アクセスポイントから前記設定対象装置自身のアドレスを受信する受信手段と、
前記受信手段で受信したアドレスを、当該設定対象装置の設定を指示する治具に無線で通知する通知手段と、
前記治具からの無線による設定の指示を受信して該指示に従った設定を実行する設定実行手段とを備えたことを特徴とする設定対象装置。
【請求項２】
前記設定実行手段による予め定められた設定の実行が完了した後に、当該設定対象装置の再起動を実行する再起動手段を備え、
前記接続手段は、再起動により判明した次に接続すべきアクセスポイントの接続先情報に基づいて無線通信の次のアクセスポイントに接続することを特徴とする請求項１に記載の設定対象装置。
【請求項３】
前記接続手段が再起動前において接続したアクセスポイントと、再起動後に接続した次のアクセスポイントが、互いに異なる通信チャンネルを用いた通信を行なうアクセスポイントであることを特徴とする請求項２に記載の設定対象装置。
【請求項４】
前記接続先情報が、ＳＳＩＤを特定する情報であり、
前記受信手段が、ＤＨＣＰでＩＰアドレスを受信する手段であり、
前記通知手段が、前記治具にＧＡＲＰで通知する手段であり、
前記設定実行手段が、前記治具との間のＴＣＰ接続による無線通信で送信されてきた指示を受信して設定を実行する手段であることを特徴とする請求項１から３のうちのいずれか１項に記載の設定対象装置。
【請求項５】
前記設定実行手段が実行する設定は、設定対象装置を特定する情報の設定、設定対象装置の出荷先に依存する設定、設定対象装置の機械的な要素に依存する設定、出荷作業に依存する設定、から選ばれる１つであることを特徴とする請求項１から３のうちのいずれか１項に記載の設定対象装置。
【請求項６】
前記設定対象装置の出荷先に依存する設定は、設定対象装置の商品コードに対応した出荷国、該出荷国に応じた時刻の設定である請求項５に記載の設定対象装置。
【請求項７】
前記設定対象装置の機械的な要素に依存する設定は、設定対象装置が画像を出力する装置の場合、画像どうしの位置ずれや画質調整に関する設定である請求項５に記載の設定対象装置。
【請求項８】
前記出荷作業に依存する設定は、出荷のためのレポートの出力、出荷や搬送に適したモードへの遷移に関する設定である請求項５に記載の設定対象装置。
【請求項９】
設定対象装置からの、当該アクセスポイントを特定した無線による接続要求を受け付ける受付手段と、
前記接続要求を送信した設定対象装置に向けて当該設定対象装置のアドレスを送信するアドレス送信手段とを備えたアクセスポイント、および
前記設定対象装置から無線で送信されてきた当該設定対象装置のアドレスを受信する受信手段と、
前記受信手段により受信したアドレスを送信してきた前記設定対象装置に向けて、予め定められた設定の指示を無線で送信する設定指示送信手段とを有する治具
を備えたことを特徴とする設定システム。
【請求項１０】
請求項１から８のうちのいずれか１項に記載の設定対象装置を備えたことを特徴とする請求項９記載の設定システム。
【発明の詳細な説明】
【技術分野】
【０００１】
本発明は、設定対象装置および設定システムに関する。
【背景技術】
【０００２】
装置の組立後、出荷前には、その組立後の装置について様々な設定を行なう設定工程が置かれている。ここでは、「設定」は、その装置の検査や調整等を含む広い概念の用語として用いている。
【０００３】
この設定工程では、一例として、設定対象の装置を、その装置の設定を担当する治具（例えば、ＰＣ（パーソナルコンピュータ）等）にＵＳＢ等の有線で接続し、設定対象の装置と治具とをペアにして設定を実行することが行われる。しかしながら、このような有線接続では、設定対象の装置の数と同数の治具が必要となる、装置の移動の自由度が小さい、などの様々な困難が伴う。そこで、設定対象の装置と治具を、無線で接続することを考える。
【０００４】
ここで、特許文献１には、１台の工程管理コンピュータで、設定対象の全ての装置（周辺機）の工程管理を行なうシステムが開示されている。この特許文献１には、装置（周辺機）との接続に関し、無線接続方式の具体的な説明なしに無線接続でもよいと記載されている。
【０００５】
また、特許文献２には、無線ＩＣタグを導入した装置（ワーク）の生産システムが開示されている。装置（ワーク）の各々には、装置（ワーク）各々の品種が書き込まれた無線ＩＣタグがつけられている。各無線ＩＣタグは、狭指向性のＩＣタグリーダで読み取られる。
【先行技術文献】
【特許文献】
【０００６】
【特許文献１】特開２００４−２３４５６６号公報
【特許文献２】特開２００９−０８７１３２号公報
【発明の概要】
【発明が解決しようとする課題】
【０００７】
設定対象の装置と治具とを無線で接続すれば、無線接続の方式にもよるが、一般的には装置の移動の自由度が増す。一方、無線接続の場合、設定対象装置が自分の設定を担当する治具とは別の、別の設定を担当する治具と接続されてしまうことがないことが保障されたシステムを構築することが必要となる。
【０００８】
本発明は、自分の設定を担当する治具と確実に接続される設定対象装置および設定システムを提供することを目的とする。
【課題を解決するための手段】
【０００９】
請求項１は、
設定対象装置自身が保持する接続先情報に基づいて、無線通信のアクセスポイントに接続する接続手段と、
前記アクセスポイントから前記設定対象装置自身のアドレスを受信する受信手段と、
前記受信手段で受信したアドレスを、当該設定対象装置の設定を指示する治具に無線で通知する通知手段と、
前記治具からの無線による設定の指示を受信して該指示に従った設定を実行する設定実行手段とを備えたことを特徴とする設定対象装置である。
【００１０】
請求項２は、
前記設定実行手段による予め定められた設定の実行が完了した後に、当該設定対象装置の再起動を実行する再起動手段を備え、
前記接続手段は、再起動により判明した次に接続すべきアクセスポイントの接続先情報に基づいて無線通信の次のアクセスポイントに接続することを特徴とする請求項１に記載の設定対象装置である。
【００１１】
請求項３は、前記接続手段が再起動前において接続したアクセスポイントと、再起動後に接続した次のアクセスポイントが、互いに異なる通信チャンネルを用いた通信を行なうアクセスポイントであることを特徴とする請求項２に記載の設定対象装である置。
【００１２】
請求項４は、
前記接続先情報が、ＳＳＩＤを特定する情報であり、
前記受信手段が、ＤＨＣＰでＩＰアドレスを受信する手段であり、
前記通知手段が、前記治具にＧＡＲＰで通知する手段であり、
前記設定実行手段が、前記治具との間のＴＣＰ接続による無線通信で送信されてきた指示を受信して設定を実行する手段であることを特徴とする請求項１から３のうちのいずれか１項に記載の設定対象装置である。
【００１３】
請求項５は、前記設定実行手段が実行する設定は、設定対象装置を特定する情報の設定、設定対象装置の出荷先に依存する設定、設定対象装置の機械的な要素に依存する設定、出荷作業に依存する設定、から選ばれる１つであることを特徴とする請求項１から３のうちのいずれか１項に記載の設定対象装置である。
【００１４】
請求項６は、前記設定対象装置の出荷先に依存する設定は、設定対象装置の商品コードに対応した出荷国、該出荷国に応じた時刻の設定である請求項５に記載の設定対象装置である。
【００１５】
請求項７は、前記設定対象装置の機械的な要素に依存する設定は、設定対象装置が画像を出力する装置の場合、画像どうしの位置ずれや画質調整に関する設定である請求項５に記載の設定対象装置である。
【００１６】
請求項８は、前記出荷作業に依存する設定は、出荷のためのレポートの出力、出荷や搬送に適したモードへの遷移に関する設定である請求項５に記載の設定対象装置である。        
【００１７】
請求項９は、
設定対象装置からの、当該アクセスポイントを特定した無線による接続要求を受け付ける受付手段と、
前記接続要求を送信した設定対象装置に向けて当該設定対象装置のアドレスを送信するアドレス送信手段とを備えたアクセスポイント、および
前記設定対象装置から無線で送信されてきた当該設定対象装置のアドレスを受信する受信手段と、
前記受信手段により受信したアドレスを送信してきた前記設定対象装置に向けて、予め定められた設定の指示を無線で送信する設定指示送信手段とを有する治具
を備えたことを特徴とする設定システムである。
【００１８】
請求項１０は、請求項１から８のうちのいずれか１項に記載の設定対象装置を備えたことを特徴とする請求項９記載の設定システムである。
【発明の効果】
【００１９】
請求項１の設定対象装置、並びに請求項９および請求項１０の設定システムによれば、設定対象装置と、その設定対象装置の設定を担当する治具とを確実に無線接続することができる。
【００２０】
請求項２の設定対象装置によれば、複数の設定工程を有する場合に、各設定工程を担当する各治具に順次に接続して設定を進めることができる。
【００２１】
請求項３の設定対象装置によれば、１台の設定対象装置が複数のアクセスポイントと通信可能な位置に置かれていても、目的とするアクセスポイントに確実に接続することができる。
【００２２】
請求項４の設定対象装置によれば、インタネットの典型的なプロトコルを採用して、目的の治具と接続される。
【００２３】
請求項５〜８の設定対象装置によれば、設定対象装置の設定を担当する治具に応じて設定する内容を変化させることができる。
【図面の簡単な説明】
【００２４】
【図１】設定工程の一例を示した模式図である。
【図２】図１に示す工程２〜４の中の任意の１つの工程（ここでは、工程２で代表させる）における通信処理のタイムチャートを示した図である。
【図３】設定工程の工程管理テーブルを示した図である。
【図４】図１に示した設定工程における動作フローチャートを示した図である。
【図５】図１に示した設定工程の変形例を示した図である。
【発明を実施するための形態】
【００２５】
以下、本発明の実施の形態について説明する。
【００２６】
図１は、設定工程の一例を示した模式図である。この図１には、本発明の設定対象装置の一実施形態としての複合機、および、本発明の設定システムの一実施形態としての、通信装置とＰＣ（パーソナルコンピュータ）とのセットが示されている。この設定工程の詳細説明は後述することとし、ここでは、この図１を参照して、この設定工程の概要を説明する。
【００２７】
ここに示した設定工程は、工程１〜工程４の４工程に分かれている。そして、この図１は、複数台の複合機１０が１つのライン上に順次投入され、搬送されながら工程１〜工程４の順に進んでいく様子を表わしている。
【００２８】
工程１は、この図１に示す設定工程に投入された複合機１０に、その複合機１０に特有のシリアル番号およびその複合機１０の種類を表わす商品コードからなる、その複合機１０を特定する情報を設定する工程である。
【００２９】
ここで、複合機１０は、１台の装置でプリンタの機能、コピーの機能、スキャナの機能等、複合的な機能を有する装置である。
【００３０】
この工程１で複合機１０に設定される情報は、一例として、その複合機１０の本体にバーコードで印刷されている。この複合機１０には、工程１を担当するＰＣ２０＿１がＵＳＢケーブルで有線接続される。そして、複合機１０の本体に印刷されているバーコードに記録されている情報が、バーコードリーダを用いてＰＣ２０＿１に読み込まれ、そのＰＣ２０＿１に読み込まれた情報がＰＣ２０＿１から複合機１０に送信されて、複合機１０の内部メモリ等に設定される。この工程１は、この図１に示した設定工程の中の準備工程であって、この工程１については、本発明の技術思想は反映されていない。
【００３１】
工程１における設定が終了すると、複合機１０は、工程２に進む。工程２には、その工程２を担当するＰＣ２０＿２と、そのＰＣ２０＿２に有線でイーサネット（登録商標）（Ｅｔｈｅｒｎｅｔ）接続された通信装置３０＿２が配備されている。このＰＣ２０＿２、および後述するＰＣ２０＿３，ＰＣ２０＿４は、本発明にいう治具の各一例に相当する。
【００３２】
通信装置３０＿２は、特定のＳＳＩＤ（Ｓｅｒｖｉｃｅ  Ｓｅｔ  ＩＤｅｎｔｉｆｉｅｒ）を持つワイファイ（Ｗｉ−Ｆｉ）のアクセスポイントとして機能する通信装置である。ここで、ＳＳＩＤは、無線ＬＡＮ（Ｌｏｃａｌ  Ａｒｅａ  Ｎｅｔｗｏｒｋ）のアクセスポイントを識別するための識別子である。ここでは、この工程２に配備されている通信装置３０＿２のＳＳＩＤを、ＳＳＩＤ２と称する。各複合機１０は、通信装置３０＿２、さらに工程３，４の通信装置３０＿３，３０＿４との間でＷｉ−Ｆｉによる無線通信を行なう機能を有する。工程２におけるＰＣ２０＿２と通信装置３０＿２とのセットは、本発明の設定システムの一例を構成している。
【００３３】
工程１を終了して工程２に進んだ複合機１０は、ＰＣ２０＿２との間の通信装置３０＿２を介しての無線通信により、工程１で設定された商品コードがＰＣ２０＿２で読み取られ、そのＰＣ２０＿２により、複合機１０に対し、その商品コードに対応した出荷国やその出荷国に応じた時刻の設定等、工程２で行うべき出荷先に依存する設定が行われる。
【００３４】
工程２における設定が終了した複合機１０は、今度は工程３に進む。工程３には、工程２と同様、その工程３を担当する、ＰＣ２０＿３とそのＰＣ２０＿３に有線でＥｔｈｅｒｎｅｔ接続された通信装置３０＿３が配備されている。この工程３を担当する通信装置３０＿３は、Ｗｉ−ＦｉのアクセスポイントＳＳＩＤ３として機能する。
【００３５】
この図１には、工程３に属する複合機１０として２台の複合機１０が示されている。工程１では、複合機１０とＰＣ２０＿１がＵＳＢケーブルで有線接続されているため、工程１のＰＣ２０＿１が１台の場合は、複合機１０は、１台ずつしか工程１を通過することができない。これに対し、工程２〜４は、無線接続されていて、しかも複合機１０どうしの混線が避けられていて、同じ工程中に複数台の複合機１０が同時に存在することが可能となっている。
【００３６】
工程２を終了して工程３に進んだ複合機１０は、ＰＣ２０＿３との間の、通信装置３０＿３を介しての無線通信により、例えば、Ｃ（シアン）、Ｍ（マゼンタ）、Ｙ（イエロー）、Ｋ（黒）の各色の画像どうしの位置ずれや画質調整など、複合機１０の、主に機械的な要素に依存する設定が行われる。なお、前述した通り、ここでは、「設定」は、「検査」や「調整」等を含む、広い概念の用語として用いている。
【００３７】
工程３における設定が終了した複合機１０は、今度は工程４に進む。工程４には、工程２，３と同様、その工程４を担当する、ＰＣ２０＿４とそのＰＣ２０＿４に有線でＥｔｈｅｒｎｅｔ接続された通信装置３０＿４が配備されている。この工程４を担当する通信装置３０＿４は、Ｗｉ−ＦｉのアクセスポイントＳＳＩＤ４として機能する。
【００３８】
工程３における設定を終了して工程４に進んだ複合機１０は、ＰＣ２０＿４との間の、通信装置３０＿４を介しての無線通信により、出荷のためのレポート（シリアル番号等からなる複合機１０を特定する情報や各種設定情報等からなるレポート）の出力や、複合機１０を出荷、搬送に適したモード（複合機１０の各種の内部部品を、出荷後の搬送時の振動等で壊れたり調整が狂ったりしない位置に移動させるモード）への遷移など、出荷作業に依存する設定が行われる。
【００３９】
この図１に示した例では、工程４が設定工程の中の最終工程であり、工程４の終了により設定工程が完了し、複合機１０が出荷に回される。
【００４０】
なお、各工程で複合機１０に何らかの不具合が検出された場合、その複合機１０は、設定工程から外され、修理した後、最初の工程である工程１から設定工程に再投入される。
【００４１】
図２は、図１に示す工程２〜４の中の任意の１つの工程（ここでは、工程２で代表させる）における通信処理のタイムチャートを示した図である。
【００４２】
また、図３は、設定工程の工程管理テーブルを示した図である。
【００４３】
さらに、図４は、図１に示した設定工程における動作フローチャートを示した図である。
【００４４】
以下では、これら図２〜図４を参照しながら、図１に示した設定工程の詳細を説明する。
【００４５】
図３に示した工程管理テーブルは、各複合機１０内に予め記録されている。この工程管理テーブルには、設定工程が工程１〜工程４の４工程に分かれていることが示されている。そして、工程１を除く工程２〜４の各工程には、アクセスポイントとして、それぞれ、ＳＳＩＤ２〜ＳＳＩＤ４が対応づけられている。この工程管理テーブルに記録されているアクセスポイントＳＳＩＤ２〜ＳＳＩＤ４の各情報は、本発明にいう接続先情報の各一例に相当する。さらに、この工程管理テーブルでは、各工程１〜４の各々に、進度フラグが対応づけられている。これらの進度フラグは、いずれも初期値は‘０’である。そして、各工程１〜４が終了するごとに、今回終了した工程の進度フラグが‘１’に書き換えられる。そして、複合機１０は、各工程１〜４が終了するごとに再起動され、再起動された直後に工程管理テーブル中の進度フラグが確認され、自分自身（複合機１０）が工程１〜４のどの工程まで終了し、次に実行すべき工程がどの工程かを知って、次に実行すべき工程のＳＳＩＤにＷｉ−Ｆｉ接続を行なう。
【００４６】
図１に示す設定工程に投入された複合機１０は、起動時に自分自身に記録されている工程管理テーブルを確認することにより、自分自身が実行すべき工程を確認する（図４、ステップＳ０１）。そして、実行すべき工程が工程１の場合（すなわち、工程１の進度フラグが‘０’の場合）、作業者によるバーコードリーダ（不図示）の操作により、その複合機１０の本体に印刷されているバーコードの情報（シリアル番号や商品コードなどの情報）がＰＣ２０＿１に読み込まれる。そして、ＰＣ２０＿１に読み込まれた情報は、ＰＣ２０＿１から、そのＰＣ２０＿１と複合機１０とを繋いでいるＵＳＢケーブル経由で複合機１０に送信され、複合機１０では、その情報を受信して（ステップＳ０３）、その受信した情報が内部メモリ等に設定される（ステップＳ０４）。
【００４７】
その複合機１０では、さらに、その複合機１０の工程管理テーブル中の工程１の進度フラグが‘１’にセットされ（ステップＳ０５）、再起動が行われる（ステップＳ０６）。この再起動により、最初のステップＳ０１からの処理が再度実行される。
【００４８】
再起動後のステップＳ０１では、工程管理テーブル（図３参照）が確認され、工程１が終了していること、および工程２は未だ実行されていないことを認識する（ステップＳ０２）。ここでは、最終工程（ここに示した例では、工程４）までの全ては終了していないため（ステップＳ０７）、工程管理テーブルをさらに参照して、終了している工程（ここでは、工程１）の次の、未だ実行されていない工程（ここでは、工程２）のアクセスポイントＳＳＩＤ２を確認し、図２に（ａ），（ｂ）で示すように、そのアクセスポイントＳＳＩＤ２にＷｉ−Ｆｉ接続を行なう（ステップＳ０９）。
【００４９】
ここで、複合機１０内の工程管理テーブルに記録されているアクセスポイントＳＳＩＤ２は、前述の通り、本発明にいう接続先情報の一例に相当する。また、複合機１０の、アクセスポイントＳＳＩＤ２に接続する機能は、本発明にいう接続手段の一例に相当する。
【００５０】
アクセスポイントＳＳＩＤ２へのＷｉ−Ｆｉ接続が確立すると、複合機１０は、今度は、図２に（ｃ），（ｄ）で示すように、アクセスポイントＳＳＩＤ２に対し、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）でＩＰ（Ｉｎｔｅｒｎｅｔ  Ｐｒｏｔｏｃｏｌ）アドレスの配布を要求して、アクセスポイントＳＳＩＤ２から自分自身（複合機１０）のＩＰアドレスを取得する（ステップＳ１０）。このＩＰアドレスは、本発明にいう、設定対象装置自身のアドレスの一例に相当する。ここで、ＤＨＣＰは、ＩＰアドレスの設定などを自動的に行なう、ネットワーク設定用のプロトコルである。複合機１０の、アクセスポイントＳＳＩＤ２からＩＰアドレスを取得する機能は、本発明にいう受信手段の一例に相当する。
【００５１】
複合機１０は、次に、アクセスポイントＳＳＩＤ２から受信したＩＰアドレスをＧＡＲＰ（Ｇｒａｔｉｏｕｓ  Ａｄｄｒｅｓｓ  Ｒｅｓｏｌｕｔｉｏｎ  Ｐｒｏｔｏｃｏｌ）で送信する。ここで、ＧＡＲＰは、自分自身のＩＰアドレスが他のＩＰアドレスと重複していないかの検出とネットワーク内に自分自身のＩＰアドレスを通知するのに使われるパケットである。
【００５２】
複合機１０がＧＡＲＰを送信すると、その複合機１０のＩＰアドレスがＰＣ２０＿２で認識される。すなわち、ここでは、複合機１０によるＧＡＲＰの送信は、その複合機１０のＩＰアドレスの、ＰＣ２０＿２への通知を意味している（ステップＳ１１）。ＰＣ２０＿２は、このＩＰアドレスの通知を受けて、そのＩＰアドレスを持つ複合機１０が工程２に新たに投入されたことを認識する。ここで、複合機１０の、ＧＡＲＰの送信による、その複合機１０のＩＰアドレスをＰＣ２０＿２に通知する機能は、本発明にいう通知手段の一例に相当する。
【００５３】
複合機１０がＧＡＲＰを送信すると、ＰＣ２０＿２は、そのＩＰアドレスが割り当てられた複合機１０の存在を認識し、その複合機１０との間でＴＣＰ（Ｔｒａｎｓｍｉｓｓｉｏｎ  Ｃｏｎｔｒｏｌ  Ｐｒｏｔｏｃｏｌ）接続を確立する（図２の（ｆ），（ｇ）参照）。ここで、ＴＣＰとは、無線通信の接続を確立して通信を行なうプロトコルの１つである。ここで、同じ工程（例えば工程２）に複数台の複合機１０が存在していても、それら複数台の複合機１０のＩＰアドレスは互いに異なり、ＰＣ２０＿２は、複合機１０を混同することなく、各複合機１０と通信することができる。
【００５４】
ＴＣＰ接続が確立されると（ステップＳ１２）、ＰＣ２０＿２から工程２用の設定の指示が送信されて（図２の（ｈ）参照）、その指示が複合機１０で受信され（ステップＳ１３）、複合機１０では、その指示に応じた設定が実行される（ステップＳ１４）。ここでの設定は、工程２における設定なので、その複合機１０の出荷国やその出荷国に合わせた時刻の設定等が行われる。複合機１０における、この設定の機能は、本発明にいう設定実行手段の一例に相当する。
【００５５】
この設定（ステップＳ１４）が終了すると、ＴＣＰ接続が切断され（ステップＳ１５，図２の（ｉ），（ｊ）参照）、さらに、図３に示す工程管理テーブル中の進度フラグが更新される（ステップＳ１６）。ここでは、工程２の設定が終了したので、工程２の進度フラグが‘１’にセットされる。そして再度、複合機１０の再起動が行われる（ステップＳ１７）。複合機１０における、この再起動を行なう機能は、本発明にいう再起動手段の一例に相当する。再起動が行われると、図４に示す設定工程の処理が、最初のステップＳ０１から再度実行される。
【００５６】
今回の再起動による設定工程の処理が開始されると、工程管理テーブル（図３参照）が参照され、今度は工程２が終了し、工程３が未だ実行されていないことが認識される。そこで、今度は、工程３について、上記の工程２の場合と同じ手順で処理が実行される。ただし、この工程３の処理では、図３の工程管理テーブルに記録されている通り、アクセスポイントＳＳＩＤ３が使用される。ＳＳＩＤ２とＳＳＩＤ３とでは、互いに異なる通信チャンネルが使用されていて、互いの間の混信が防止されている。ＳＳＩＤ２およびＳＳＩＤ３とＳＳＩＤ４との間も同様である。
【００５７】
工程３についてステップＳ１７まで進むと、もう１度再起動されて、今度は工程４について同じ手順による処理が実行される。そしてさらに、もう１度、再起動が行われる。すると今度は、複合機１０は、工程管理テーブル（図３参照）を参照して最終工程（工程４）までの全ての工程が終了していることを認識し（ステップＳ０７）、今度は、図４に示す設定工程の処理フローを、再起動なしに終了する。
【００５８】
図５は、図１に示した設定工程の変形例を示した図である。
【００５９】
図１は、複合機１０が１つのライン上に投入されてそのライン上を運搬される概念を表わしているが、この図５の設定工程は、複合機１０の台数が１つのライン上には載らないほど増えて並行する２つのラインを構成している概念を表わしている。
【００６０】
ここでは、工程１については、複合機１０とＰＣ２０＿１はＵＳＢケーブルで有線接続されるため、ラインごとにＰＣ２０＿１が用意されているが、工程２〜４の各工程では、ＰＣ２０＿２，２０＿３，２０＿４と通信装置３０＿２，３０＿３，３０＿４との組合せからなるセットは、ラインの数とは無関係に、各工程ごとに１セットずつで十分である。すなわち、本実施形態は、設定対象装置である複合機１０の台数の急な増加にも対応可能な、柔軟なシステムとなっている。
【００６１】
なお、図１および図５のいずれも、複合機１０がライン上を搬送されている概念を表わしているが、本発明は、本実施形態における複合機１０のような設定対象装置が搬送されるという概念は不要である。例えば、大型の設定対象装置を固定した位置に置き、その周りにＰＣ２０＿１〜２０＿４や通信装置３０＿２〜３０＿４を置いて、工程１〜４を順次に進めてもよい。
【００６２】
また、ここでは、混信を避けるため、工程２〜４では、各々別々の通信チャンネルを使って通信する旨、説明したが、例えば、工程ごとに部屋が分かれていて部屋を跨いでの通信を行なうことができない環境等、混信が生じない環境にある場合は、別々の通信チャンネルと使うことは必ずしも必要ではなく、同じ通信チャンネルを使ってもよい。
【００６３】
さらに、上記の実施形態は、工程２〜４の各工程に、ＰＣ２０＿２，２０＿３，２０＿４と通信装置３０＿２，３０＿３，３０＿４とのセット、すなわち本発明の設定システムの各一例を配備し、工程２〜４の順で連続的に実行する構成となっているが、本発明は、工程２，３，４のように複数の工程に分かれている必要は必ずしもなく、本発明は、１工程のみ（例えば工程２のみ）であっても成立する。
【符号の説明】
【００６４】
１０  複合機
２０＿１，２０＿２，２０＿３，２０＿４  ＰＣ（パーソナルコンピュータ）
３０＿２，３０＿３，３０＿４  通信装置
【図１】
2020028040.tif 000003
【図２】
2020028040.tif 000004
【図３】
2020028040.tif 000005
【図４】
2020028040.tif 000006
【図５】
2020028040.tif 000007